(57)【要約】      （修正有）【課題】ベッド仰臥者が仰臥姿勢で最小疲労・最適条件で観賞及び操作できるベッド仰臥者用多機能載置装置および、リハビリ視聴実施システム装置を提供する。【解決手段】ベッド仰臥者用多機能載置装置構造を、ベッド頭部側部設置両サイド載置支柱、天井近傍顔上部視野角２０度以内位置テレビモニター設置、顔上部適正視聴・操作位置調整設置両サイド支点コの字載置アーム旋回式載置幅調整透明板上下載置フレーム指操作部解放、載置物ゴムバンド背面加圧保持、双方向対話機器設置、等の構造とし、更に生甲斐減衰減速・維持・増進、障害回復を図り得る、被介護者用ベッド仰臥姿勢一日生活サイクル対応リハビリ視聴実施録画編集デジタル映像ソフトと、双方向対話機能付帯被介護者用ベッド仰臥姿勢一日生活サイクル対応自動テレビ放映・録画再生リハビリ視聴実施システム装置を提供する。【選択図】図５
2016172031.tif 000002
【特許請求の範囲】
【請求項１】
書物、平板型情報端末機器等が載置できるベッド仰臥者用多機能載置装置において、装置主要構成構造を、ユニット架台、旋回軸、旋回載置アーム、上部側（仰臥者顎側）載置フレーム、下部側（仰臥者頭部側）載置フレーム、適正使用位置・未使用退避位置旋回保持機構で構成する構造とし、ユニット架台構造を高さ調整設置機能を有した構造で且つ床置き自立ベッド筐体頭部外周フレーム隣接設置構造又は床置き自立構造でのベッド筐体頭部外周フレーム固定設置構造又はベッド筐体頭部外周フレーム固定設置構造のいずれかの設置構造としユニット架台の両側垂直支柱部に旋回載置アームを設置する下記旋回軸をベッド筐体頭部外周フレームと平行方向に且つ左右位置固定構造とする旋回可動構造で設置し且つ適正使用位置・未使用退避位置旋回保持機構を有した構造とするとともに、旋回軸構造を下記旋回載置アームの両側直線フレーム部を旋回軸に旋回載置アームをベッド長さ方向の前後突出し長さ調整可動固定設置構造で設置する構造とし、旋回載置アーム構造を上部側（仰臥者顎側）に載置物落下防止壁を有するコの字構造としコの字左右コーナー部と左右連結直線部の下部に上部側載置フレームを固定設置しコの字左右直線部に下部側載置フレームを載置物の上下幅と適正載置支持幅に合わせた任意可動設置固定構造で設置する構造とし、且つ上記上部側載置フレームと下部側載置フレームの構造を上部側及び下部側の載置物のそれぞれの載置支持幅を少なくともＢ５版見開き書物が上下載置フレーム間から落下せず且つ平板型情報端末機器のタッチパネル操作及びフリック操作に支障がない適正載置支持幅（例えば概ね15〜20mm程度）とする直線適正載置支持幅構造、もしくは中心部振り分け適正範囲部分（たとえば概ね260mm程度）においてはＢ６版見開き書物及び概ねＡ４サイズ等の横長設置平板型情報端末機器機及び概ねＢ５サイズ等の鏡が落下せず設置でき且つ書物のページ捲り及び平板型情報端末機器のタッチパネル操作及びフリック操作に支障がない適正載置支持幅（例えば概ね15〜20mm程度）としその両外側を少なくともＡ５〜Ａ４版見開き書物の落下及びページ捲りに支障のない適正載置支持幅（例えば概ね30〜45mm程度）とした段付適正載置幅構造のいずれかの適正載置幅構造体構造とし、且つその載置フレームの少なくとも載置幅部分の材質を透明体とした構造とした、ベッド頭部側設置・載置アーム旋回・載置幅調整透明板上下載置フレーム指操作部解放構造としたことを特徴としたベッド仰臥者用多機能載置装置。
【請求項２】
前記請求項１記載のベッド仰臥者用多機能載置装置において、見開き書物の平坦化押付機能、又はベッド仰臥者用多機能載置装置未使用時退避旋回載置面立ち上り保持状態における書物及び鏡及び平板型情報端末機器等の落下防止機能、又は両機能となるいずれかの構造で、且つ書物及び鏡及び平板型情報端末機器等の着脱に支障のない構造で、高伸縮性を有するゴム紐又はゴムバンドを、必要張力を与えた状態で且つ背面左右引き渡し構造で設置する構造としたことを特徴としたベッド仰臥者用多機能載置装置。
【請求項３】
前記請求項１から２のいずれかの項記載のベッド仰臥者用多機能載置装置において、ユニット架台の両側垂直支柱を、天井方向に延し、且つそのユニット架台両側垂直支柱の上端部にベッド仰臥者の直線視線に対し上下視野角が２０度以内となる設置角度で且つベッド仰臥者の目の高さ位置より少なくとも１.０m以上の距離を有する高さに少なくともサイズ１７吋以上薄型テレビが設置できる構造、又は更に旋回支持アーム部に旋回作動用紐等を設置し且つユニット架台両側垂直支柱の上部位置に滑車機能構造体を設置し旋回作動用紐の操作により旋回支持アームの上方回避旋回及び使用位置設置機能をもたせた構造のいずれかの載置機能構造としたことを特徴とした、ベッド仰臥者用薄型テレビ等多機能載置装置。
【請求項４】
前記請求項１から３のいずれかの項記載の、ベッド仰臥者用多機能載置装置、又はベッド仰臥者用薄型テレビ等多機能載装置置、又は請求項３記載のベッド仰臥者用薄型テレビ等載置装置から薄型テレビ以外の載置機能を除外したベッド仰臥者用薄型テレビ載置装置のいずれかの載置装置において、それらの載置装置に、テレビ電話用カメラ、又はテレビ電話機能付帯情報端末機器（情報端末機器同様載置）、又は自動受信・ハンズフリーテレビ電話機能付帯携帯電話、又は自動受信・ハンズフリー・カメラ機能付帯携帯電話、又は自動受信・ハンズフリー機能携帯電話、等のいずれかの双方向対話対応機能機材を、他の機器操作・使用に支障がない且つカメラ機能を備えた機材についてはベッド仰臥者の少なくとも顔部分が撮影できる構造で設置する、双方向対話対応機能付帯構造としたことを特徴とした、ベッド仰臥者用薄型テレビ等多機能載置装置、又はベッド仰臥者用多機能載置装置、又はベッド仰臥者用薄型テレビ載置装置。
【請求項５】
前記請求項１から４のいずれかの項記載の、ベッド仰臥者用多機能載置装置、又はベッド仰臥者用薄型テレビ等多機能載置装置、又は請求項３記載のベッド仰臥者用薄型テレビ等載置装置から薄型テレビ以外の載置機能を除外したベッド仰臥者用薄型テレビ載置装置のいずれかの載置装置において、載置装置の載置機能に合致し且つデジタル録画映像再生機能を有した、薄型テレビ又は情報端末機器又はノートパソコンのいずれかを、ベッド仰臥者が仰臥姿勢にてそれらのモニター映像を観ながらリハビリ活動・ストレッチ運動等が実施できる適正高さに載置した構造とし、且つベッド仰臥者が仰臥姿勢にてそれらのモニター映像を観ながら自分自身で行うための実演者が仰臥姿勢で実際に行う深呼吸・軽微運動・ストレッチ運動・筋トレ運動・指圧マッサージ・ヨガ・気功及び心を癒す映像等を音響・説明等を含めた構成で録画映像化したベッド仰臥姿勢リハビリ活動・ストレッチ運動等視聴実施録画編集デジタル映像ソフトを放映するシステム構造としたことを特徴とした、ベッド仰臥者仰臥姿勢リハビリ・ストレッチ視聴実施システム装置。及び前記、ベッド仰臥姿勢リハビリ活動・ストレッチ運動等視聴実施録画編集デジタル映像ソフト
【請求項６】
前記請求項５記載のベッド仰臥者仰臥姿勢リハビリ・ストレッチ視聴実施システム装置において、ベッドに仰臥する被介護者の生甲斐及び身体能力の低下減速維持向上等に資し、且つ被介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した、被介護者用ベッド仰臥姿勢一日生活サイクル対応リハビリ視聴実施録画編集デジタル映像ソフトを放映するシステム構造としたことを特徴とした、被介護者用ベッド仰臥姿勢一日生活サイクル対応リハビリ視聴実施システム装置。及び前記、被介護者用ベッド仰臥姿勢一日生活サイクル対応リハビリ視聴実施録画編集デジタル映像ソフト。
【請求項７】
前記請求項６記載の被介護者用ベッド仰臥姿勢一日生活サイクル対応リハビリ視聴実施システム装置において、載置するモニターをデジタル放送受像機能又はデジタル放送受像番組予約放映機能のいずれかの機能とデジタル録画映像再生機能を有した構造とするとともに、更に少なくとも１２時間以上のデジタルプログラムタイマー機能を付加しデジタル放送受像放映とデジタル録画映像放映及び放映停止を設定放映プログラムに沿って制御する構造としたことを特徴とした、被介護者用ベッド仰臥姿勢一日生活サイクル対応自動テレビ放映・録画再生リハビリ視聴実施システム装置。
【請求項８】
前記請求項７記載の被介護者用ベッド仰臥姿勢一日生活サイクル対応自動テレビ放映・録画再生リハビリ視聴実施システム装置において、更に双方向対話機能を双方向対話機能優先システムとして組込んだシステム装置構造としたことを特徴とした、双方向対話機能付帯被介護者用ベッド仰臥姿勢一日生活サイクル対応自動テレビ放映・録画再生リハビリ視聴実施システム装置。
【発明の詳細な説明】
【技術分野】
【０００１】
本発明は、ベッド仰臥者又はベッド仰臥被介護者が仰臥姿勢で使用、又は観賞するベッド仰臥者用薄型テレビ等多機能載置装置、及びリハビリ・ストレッチ視聴実施システム装置、及びベッド仰臥姿勢リハビリ活動・ストレッチ運動等視聴実施録画編集デジタル映像ソフト、及び被介護者用ベッド仰臥姿勢一日生活サイクル対応リハビリ視聴実施システム装置、及び被介護者用ベッド仰臥姿勢一日生活サイクル対応リハビリ視聴実施録画編集デジタル映像ソフト、及び被介護者用ベッド仰臥姿勢一日生活サイクル対応自動テレビ放映・録画再生リハビリ視聴実施システム装置に関するものである。
【背景技術】
【０００２】
超高齢社会化で重度要介護者が急増し介護施設・介護士も不足している状況にも関わらず、在宅型トイレ・シャワー機能付帯多機能介護ベッドも安価・高利便性ベッド仰臥姿勢対応テレビ観賞載置装置もリハビリ支援システムも開発・市販されていない。一般に市販されている介護ベッド用テレビ載置装置は、人体の目の位置から１m未満、且つ介護及びベッド仰臥者の非テレビ観賞時に邪魔になる起上り姿勢対応もしくは横向き姿勢対応構造がほとんどであり、邪魔にならず安価且つ実用的で仰臥姿勢対応のテレビ載置装置、及び高利便性の新聞・書物の読書・情報端末機操作対応多機能載置装置が市販されておらず、必然的にベッド仰臥姿勢で顔部上方部に設置されたモニター映像を観ながら行う、ベッド仰臥姿勢リハビリ活動・ストレッチ運動等視聴実施録画編集デジタル映像ソフト等も開発されていない。ベッド仰臥者の極小疲労最適テレビ観賞姿勢及び極薄軽量液晶テレビでの安価天井近傍設置容易性に対する認識が極めて低く、且つ重度要介護者のベッド仰臥姿勢でのテレビ観賞及びリハビリ運動及び読書・情報端末機器操作等の重要性に対する認識も極めて小さいことに起因すると考えられる。仰臥姿勢でのテレビ観賞及びリハビリ運動及び読書・情報端末機器操作等の安価・高利便性ベッド用多機能載置機器がないが故に、重度要介護者にとって疲労及び転落ポテンシャル等の弊害がある長時間のベッド起上り姿勢生活を余儀なくされているのが現状である。歩行障害者の筋肉トレーニングも含めてリハビリを無理なく安全に行うことができ且つ最も疲労が少なくテレビ観賞・読書等ができるのが仰臥姿勢であり、視野角２０度以内で１m以上離れた頭顔部天井近傍設置の薄型テレビでリハビリソフト映像見ながらのリハビリ及びその他のテレビ観賞ができ且つ読書・情報端末機操作対応機能の多機能載置装置、及びリハビリ・ストレッチ視聴実施システム装置、及びベッド仰臥姿勢リハビリ活動・ストレッチ運動等視聴実施録画編集デジタル映像ソフト、及び被介護者用ベッド仰臥姿勢一日生活サイクル対応リハビリ視聴実施システム装置、及び被介護者用ベッド仰臥姿勢一日生活サイクル対応リハビリ視聴実施録画編集デジタル映像ソフト、及び被介護者用ベッド仰臥姿勢一日生活サイクル対応自動テレビ放映・録画再生リハビリ視聴実施システム装置等の開発が望まれている。又、女性高齢要介護者のリハビリにおいて美容維持意識が重要であり読書及び情報端末機器の載置部に四角平板鏡が載置できる構造とすることも望まれる。
【０００３】
ベッド上でのテレビ観賞テレビ設置構造も沢山発明開示されてが、人体の目の位置から１m未満、且つ邪魔になる起上り姿勢もしくは横向き姿勢対応設置構造がほとんどである。最も疲労が少ない仰臥状態観賞で、安価、且つ寝疲れ防止機能・睡眠時画像自動消灯機能付帯、視野角１５度以内で１m以上離れた頭顔部天井近傍薄型テレビ設置構造が理想と考えられるが全ての機能を満たしたシステムの発明開示は見当たらない。但し仰臥姿勢で好適視野角・好適距離で観賞できる構造の発明開示は幾つかある。開示例として特許文献１がある。本特許文献１の開示発明にも解決すべき幾つかの課題がある。
【０００４】
開示例特許文献１のテレビ設置構造は、ベッド筺体外周枠長手方向概ね中心部側壁に足側筺体枠側壁部からベッド仰臥者の頭顔部まで任意位置に旋回固定できる旋回アームに薄型テレビを３次元に旋回調整固定可能なる構造で設置した構造である。本構造は、極めて高価であると同時に、アーム旋回時の指等挟まれポテンシャルがあり、且つ安全カバーの設置も広範囲となるので困難である。
【０００５】
ベッド生活が長期化する被介護者にとって、テレビ観賞と合わせて読書、及び多彩な機能及びリハビリソフトの活用もできる端末機器及びノートパソコン等が、仰臥姿勢で疲労しないで使用でき、且つ簡単設置・退避できる載置装置が求められる。又、電子書籍機能を内蔵した情報端末が普及してきており、更にはキーボードタッチパネルタイプノートパソコンも開発されている。これらの全てに対応できる安価な載置装置が理想である。それらの全ての機能を満たす発明開示は見当たらない。簡単設置・退避機能を有した書籍載置、及び書物・情報端末機器載置の発明開示は沢山ある。開示例として特許文献２及び３がある。しかしそれぞれの発明開示にそれぞれ解決すべき課題がある。
【０００６】
開示例特許文献２のベッド用書物又は情報端末機器用載置台は、ベッド筺体両サイドフレーム等に載置装置架台支柱を設置しその両側架台支柱に回動可能スライドガイドを設置しその両側スライドガイドに載置台円弧状スライドガイド機能を有する円弧状のアームを伸縮自在位置調整設置固定する構造で、且つその円弧状アームに円弧状アーム形状に沿って摺動移動できる載置台を設置し、且つその載置台に中央に見開き書物の中央を保持する旋回棒を片側簡単着脱構造で設置し更に４隅に書物及び情報端末機器弾性体押え金具が大きさに合せた位置に設置する仰臥姿勢及び横向姿勢両姿勢に対応できる構造になっている。装置架台支柱がベッドサイド設置構造のためベッド専用載置装置構造であり、且つ中間支持棒及び４隅金具支持構造は書物ページ捲り性及び隅部が隠れて読めない及び保時の確実性、等の問題がある。横向姿勢対応機能もあってもよいが、操作性及び安定保持機能性及び機能効果に見合ったコストで提供することが必要である。又、テレビについても載置可能と記されているが本構造では少なくともサイズ２１吋以上テレビの安全保持強度の確保は困難である。
【０００７】
開示例特許文献３の仰臥用書見台は、ベッド頭部側ベッド筺体フレーム等に装置架台を設置し旋回支持アームに旋回構造書物押え棒とネジガイドバーを設置し、そのネジガイドバーに載置幅を書物上下の余白幅とする前後２個のＬ型透明載置フレームを片側固定片側ネジナット嵌合フレーム回転移動書物高さ調整構造で設置する構造であり、且つネジガイドバーに対し載置フレーム上側（仰臥者顎側）ネジガイドバー下側Ｌ型載置面構造、載置フレーム下側（仰臥者頭側）ネジガイドバー上側Ｌ型載置面構造で載置フレームを書物高さ幅に合せて設置し、書物を見開き状態でネジガイドバー及び載置フレームの載置面の上に且つ載置フレーム上側（仰臥者顎側）のＬ型立ち上り面に突き当てて載置し、且つ上方より旋回書物押え棒で押し付ける構造である。本構造ではネジガイドバーがあるため書物のページ捲り性が悪く、更に載置幅が書物上下余白幅では１０mm以下程度となるため薄紙の書物だとサイド保持できるサイズが制限される。又、本発明は書物限定であり情報端末機器はネジガイドバーが邪魔するため載置できない。
【０００８】
被介護者のリハビリ効果として、特に女性において化粧による効果が大きいことが良く知られている。従って書物、平板型情報端末機器、鏡のすべてが載置できるベッド仰臥者用載置装置とすることが求められる。
【０００９】
在宅被介護者にとって重要課題の一つが対話である。最近脳の再生がクローズアップされてきたが、認知症リハビリ重要有効手段のひとつが対話である。テレビ電話機能付き機器が徐々に普及してきているが、寝たきり者に活用されている事例は極めてすくない。又、重度要介護者の介護における介護者外出制約の緩和を図る上でもカメラ機能付帯双方向対話機能付加は需要である。仰臥者が仰臥姿勢でモニターを見ながら対話できる載置装置及びシステムの発明開示は見当たらない。テレビ電話システムで在宅看護支援を行う発明開示は沢山ある。開示例特許文献４の遠隔介護支援システムは、介護ベッドサイドにカメラ・モニター付き電話を設置し、介護施設等のホストコンピューターと回線接続し、健康状況の確認と対話支援をするシステムとなっている。ベッドサイド設置では寝たきり者には疲労が伴い、楽しい対話となりにくく有効性に欠ける。監視システムではない、仰臥姿勢で家族等と対話でき且つ介護者が外出先から要介護者の状況が確認できる安価機能のシステムの提供が必要である。
【００１０】
健康ブームに乗って、健康維持・増進・回復を図る様々な分野で、運動、及び指圧・マッサージ、ストレッチ運動等、沢山実施されている。しかし、ベッド上仰臥姿勢で、且つ録画編集モニター映像を見ながら、且つ自分自身で行う、ベッド仰臥姿勢リハビリ活動・ストレッチ運動等視聴実施録画編集デジタル映像ソフト、及びリハビリ・ストレッチ視聴実施システム装置等の市販及び発明開示は見当たらない。重度要介護者が急増しており、特に度要介護者対応のベッド上仰臥姿勢で、且つ録画編集モニター映像を見ながら、且つ自分自身で行えるリハビリ支援ソフト及びリハビリ支援システム装置の発明提供を急ぐ必要がある。
【００１１】
日本国における認知症患者数は２７０万人とも言われている。認知症等のリハビリソフトは、ゲーム方式等のパソコンやゲーム機器を使用するソフトは沢山あるが、被介護者の一日の生活リズムに合せて一日生活サイクル対応リハビリ支援ソフトの開発発明開示は見当たらない。
【００１２】
被介護者用のリハビリシステムの発明開示は沢山ある。開示例特許文献５の痴呆リハビリシステムは、介護施設等のリハビリサーバー装置と施設内で回線接続し端末機器のモニターにて映像・音響放送を、リハビリソフトを含めて行うシステムであり、且つ電話回線接続機能も有した被介護者用リハビリシステムである。本システムは、電話回線接続はとりこめるが主に監視用であり、システム全体として在宅被介護者との回線接続システムではないため在宅被介護者リハビリシステム機能は持っていない。又、リハビリ内容は個人毎に管理されたメニューによって選択されるが、他の内容は施設統一システムであり個人の趣向に合せる機能を有していない。又、モニターの設置構造は被介護者仰臥姿勢顔部天井方向上設置構造とすべきであるが、モニター設置構造の記述は無い。施設との連携システムとしては幾つかの改善で必要機能を満たしたシステムとなるが、安価なる個人毎の在宅介護支援システムが求められる。
【００１３】
被介護者の趣向及び一日の生活リズムに合せた映像・音響放送を可能とするシステムの発明開示もある。開示例特許文献６の自動放映システムは、テレビ又はラジオ番組の事前情報及び記録放送情報から登録指定時間プログラムに沿って登録指定番組もしくは過去の実績情報を基に自動選択して放送する手段を有したクライアント情報処理装置再生インターネット配信システムである。被介護者の仰臥姿勢顔天井方向上部設置薄型テレビ観賞構造とすれば日付や曜日も判り生活刺激を受けることができるが、あくまでも観賞システムに過ぎない。リハビリソフト、及び家族、親戚、友達等のメッセイジ録画映像、更にはテレビ電話対話等の機能が織り込まれた総合的支援システムが求められる。
【特許文献１】特開2006-296473号広報
【特許文献２】特開2005-287883号広報
【特許文献３】特開2007-105431号広報
【特許文献４】実登3064460号広報
【特許文献５】特開2000-268118号広報
【特許文献６】特開2003-10149号広報
【発明の開示】
【発明が解決しようとする課題】
【００１４】
急進する高齢化社会で急増する要介護者。人生最後まで生きる喜びを感じていたい。この誰もが願う希望を叶えるシンプル・安価・在宅・自立支援型自動万能快適介護ベッドを提供することが総合課題であり、その重要必要機能の一つとなる、食事及び他者との交流、起上りリハビリ活動等以外の、全てを最も疲労が少ない仰臥姿勢で、テレビ観賞、読書、ゲーム含めたパソコン操作ができるベッド仰臥者用多機能載置装置、及びベッド仰臥者が仰臥姿勢にて顔上部適正高さ位置に載置されたモニター映像を観ながら自分自身で行うリハビリ・ストレッチ視聴実施システム装置の提供、更に重度要介護者には、家族等との双方向対話テレビ電話機能を有し、且つ重度要介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した被介護者用ベッド仰臥姿勢一日生活サイクル対応リハビリ視聴実施録画編集デジタル映像の放映とデジタル放送受像放映及び放映停止を重度要介護者にマッチした一日生活サイクルに合わせた設定放映プログラムにて放映する、テレビ電話優先被介護者用ベッド仰臥姿勢一日生活サイクル対応自動テレビ放映・録画再生リハビリ視聴実施システム装置を提供することを課題とするものである。
【課題を解決するための手段】
【００１５】
この課題を解決するための請求項１の発明は、書物、平板型情報端末機器、等が載置できるベッド仰臥者用多機能載置装置において、装置主要構成構造を、ユニット架台、旋回軸、旋回載置アーム、上部側（仰臥者顎側）載置フレーム、下部側（仰臥者頭部側）載置フレーム、適正使用位置・未使用退避位置旋回保持機構で構成する構造とし、ユニット架台構造を高さ調整設置機能を有した構造で且つ床置き自立ベッド筐体頭部外周フレーム隣接設置構造又は床置き自立構造でのベッド筐体頭部外周フレーム固定設置構造又はベッド筐体頭部外周フレーム固定設置構造のいずれかの設置構造としユニット架台の両側垂直支柱部に旋回載置アームを設置する下記旋回軸をベッド筐体頭部外周フレームと平行方向に且つ左右位置固定構造とする旋回可動構造で設置し且つ適正使用位置・未使用退避位置旋回保持機構を有した構造とするとともに、旋回軸構造を下記旋回載置アームの両側直線フレーム部を旋回軸に旋回載置アームをベッド長さ方向の前後突出し長さ調整可動固定設置構造で設置する構造とし、旋回載置アーム構造を上部側（仰臥者顎側）に載置物落下防止壁を有するコの字構造としコの字左右コーナー部と左右連結直線部の下部に上部側載置フレームを固定設置しコの字左右直線部に下部側載置フレームを載置物の上下幅と適正載置支持幅に合わせた任意可動設置固定構造で設置する構造とし、且つ上記上部側載置フレームと下部側載置フレームの構造を上部側及び下部側の載置物のそれぞれの載置支持幅を少なくともＢ５版見開き書物が上下載置フレーム間から落下せず且つ平板型情報端末機器のタッチパネル操作及びフリック操作に支障がない適正載置支持幅（例えば概ね15〜20mm程度）とする直線適正載置支持幅構造、もしくは中心部振り分け適正範囲部分（たとえば概ね260mm程度）においてはＢ６版見開き書物及び概ねＡ４サイズ等の横長設置平板型情報端末機器機及び概ねＢ５サイズ等の鏡が落下せず設置でき且つ書物のページ捲り及び平板型情報端末機器のタッチパネル操作及びフリック操作に支障がない適正載置支持幅（例えば概ね15〜20mm程度）としその両外側を少なくともＡ５〜Ａ４版見開き書物の落下及びページ捲りに支障のない適正載置支持幅（例えば概ね30〜45mm程度）とした段付適正載置幅構造のいずれかの適正載置幅構造体構造とし、且つその載置フレームの少なくとも載置幅部分の材質を透明体とした構造とした、ベッド頭部側設置・載置アーム旋回・載置幅調整透明板上下載置フレーム指操作部解放構造とした。載置可能寸法サイズは新聞半面対応の少なくともＡ３対応サイズとすることが望ましい。下部側（仰臥者頭部側）載置フレームの構造は、旋回載置アーム設置部を平坦構造とし旋回載置アーム間を載置面外側を未使用退避位置旋回時落下防止壁及び強度アップ対応構造としてＬ曲げ構造とすることが望ましい。任意位置設置固定対応機能構造とする載置フレームの任意位置設置構造は、両側支持アームをスライドガイドとしノブ又はバネレバー等による簡単固定構造とすることが望ましい。又、突当て載置幅形成機能部を設けた載置フレームの突当て載置幅形成機能部に傷防止、滑り防止等を目的に柔軟性ゴムを設置する構造とすることもできる。又載置フレームは、両側共に全光透���率９０％以上の強度を有した透明樹脂製とし少なくとも両側設置固定等を除く部分を撓み強度確保及び載置幅形成機能・落下防止機能を兼ねるＬ型形状等の単体構造とし且つ厚さを４mm程度とすることが望ましい。尚、本発明構造は載置フレームの載置面が一部書物の印刷部にかかる構造なので載置フレーム透明体の厚さが５mm以下であれば障害はほとんどないが、５mmを超えると文字等が幾分見難くなる欠点があるので厚さは５mm以下とすることが望ましい。又、少なくとも１７吋程度のテレビ受像機能付帯情報端末機器・液晶画面/本体一体型ノートパソコン（キーボード軽量化ｏｒ分離ｏｒレス）等の載置対応機能とすることが望ましい。又、本体キーボード一体／液晶画面モニター部回動連結開閉型ノートパソコンの本多機能載置ユニットへの設置方式の一例については本分割特許出願の原出願特許「特願２０１１−０６１８２９請求項２０」で開示しているが一般的ノートパソコン載置対応構造とすることもできる。本発明により安価にして、仰臥姿勢での書物及び平板情報端末機器のページ捲り及びタッチパネル操作及びフリック操作性に優れ、且つ女性被介護者の生甲斐となる化粧対応鏡も設置できるベッド仰臥者用多機能載置装置の提供が可能となる。
【００１６】
この課題を解決するための請求項２の発明は、前記請求項１記載のベッド仰臥者用多機能載置装置において、見開き書物の平坦化押付機能、又はベッド仰臥者用多機能載置装置未使用時退避旋回載置面立ち上り保持状態における書物及び鏡及び平板型情報端末機器等の落下防止機能、又は両機能となるいずれかの構造で、且つ書物及び鏡及び平板型情報端末機器等の着脱に支障のない構造で、高伸縮性を有するゴム紐又はゴムバンドを、必要張力を与えた状態で且つ背面左右引き渡し構造で設置する構造とした。両側支持アームに設置する高伸縮性ゴム紐又はゴムバンド押えの両端構造は両側フック構造もしくは片側フック片側移動可能リング構造とすることが望ましい。複数設置する構造とすることもできる。本発明により見開き書物の押付効果で読み易さが増し且つ載置物の着脱性を損なわずに旋回退避時の落下を防止する操作性、機能性に優れた、書物・鏡・平板型情報端末機器の全てを載置できるベッド仰臥者用多機能載置装置の提供が可能となる。
【００１７】
この課題を解決するための請求項３の発明は、前記請求項１から２のいずれかの項記載のベッド仰臥者用多機能載置装置において、ユニット架台の両側垂直支柱を、天井方向に延し、且つそのユニット架台両側垂直支柱の上端部にベッド仰臥者の直線視線に対し上下視野角が２０度以内となる設置角度で且つベッド仰臥者の目の高さ位置より少なくとも１.０m以上の距離を有する高さに少なくともサイズ１７吋以上薄型テレビが設置できる構造、又は更に旋回支持アーム部に旋回作動用紐等を設置し且つユニット架台両側垂直支柱の上部位置に滑車機能構造体を設置し旋回作動用紐の操作により旋回支持アームの上方回避旋回及び使用位置設置機能をもたせた構造のいずれかの載置機能構造のベッド仰臥者用薄型テレビ等多機能載置ユニットとした。滑車方式による操作は退避旋回位置角度を垂直位置より例えば仰臥者側に１０度程度の傾斜角度位置にすることで引上げ紐１本でも退避・設置操作が可能となる。本発明により、仰臥者が仰臥姿勢のままで旋回載置アームの設置及び退避ができ、且つ安価にして充分な耐震強度を持つ、既存ベッドにも簡単に設置できる、且つ最少疲労最適使用条件を満たし、且つ薄型テレビ観賞及び書物・鏡・平板型報端末機器・ノートパソンまで使用できるベッド仰臥者用テレビ等多機能載置装置の提供が可能となる。
【００１８】
この課題を解決するための請求項４の発明は、前記請求項１から３のいずれかの項記載の、ベッド仰臥者用多機能載置装置、又はベッド仰臥者用薄型テレビ等多機能載置装置、又は請求項３記載のベッド仰臥者用薄型テレビ等載置装置から薄型テレビ以外の載置機能を除外したベッド仰臥者用薄型テレビ載置装置のいずれかの載置装置において、それらの載置装置に、テレビ電話用カメラ、又はテレビ電話機能付帯情報端末機器（情報端末機器同様載置）、又は自動受信・ハンズフリーテレビ電話機能付帯携帯電話、又は自動受信・ハンズフリー・カメラ機能付帯携帯電話、又は自動受信・ハンズフリー機能携帯電話、等のいずれかの双方向対話対応機能機材を、他の機器操作・使用に支障がない且つカメラ機能を備えた機材についてはベッド仰臥者の少なくとも顔部分が撮影できる構造で設置する、双方向対話対応機能付帯構造とした。テレビ電話機能付帯情報端末機器は平板型であれば平板型情報端末機器同様載置構造で使用できる。ハンズフリー・カメラ機能付帯携帯電話、自動受信・ハンズフリー機能携帯電話は平板型情報端末機器同様載置構造で使用できないときはハンズフリー・カメラ機能付帯携帯電話、自動受信・ハンズフリー機能携帯電話簡単着脱構造の載置プレートにそれらを設置状態で載置する構造等とすることが望ましい。本発明により最少疲労最適使用条件を満たし、薄型テレビ観賞、読書、且つ平板型報端末機器まで使用でき、更に被介護者の状況確認は勿論双方向対話まで可能としたベッド仰臥者用テレビ等多機能載置装置、又はベッド仰臥者用多機能載置ユニットの提供が可能となる。ベッド仰臥姿勢リハビリ映像ソフト及びトイレ・シャワー・入浴機能付帯ベッドの開発発明と本発明多機能載置装置を組み合わせることで在宅・自立支援型多機能快適介護ベッドの提供が可能となる。
【００１９】
この課題を解決するための請求項５の発明は、前記請求項１から４のいずれかの項記載の、ベッド仰臥者用多機能載置装置、又はベッド仰臥者用薄型テレビ等多機能載置装置、又は請求項３記載のベッド仰臥者用薄型テレビ等載置装置から薄型テレビ以外の載置機能を除外したベッド仰臥者用薄型テレビ載置装置のいずれかの載置装置において、載置装置の載置機能に合致し且つデジタル録画映像再生機能を有した、薄型テレビ又は情報端末機器又はノートパソコンのいずれかを、ベッド仰臥者が仰臥姿勢にてそれらのモニター映像を観ながらリハビリ活動・ストレッチ運動等が実施できる適正高さに載置した構造とし、且つベッド仰臥者が仰臥姿勢にてそれらのモニター映像を観ながら自分自身で行うための実演者が仰臥姿勢で実際に行う深呼吸・軽微運動・ストレッチ運動・筋トレ運動・指圧マッサージ・ヨガ・気功及び心を癒す映像等を音響・説明等を含めた構成で録画映像化したベッド仰臥姿勢リハビリ活動・ストレッチ運動等視聴実施録画編集デジタル映像ソフトを放映するシステム構造とした、ベッド仰臥者仰臥姿勢リハビリ・ストレッチ視聴実施システム装置。及びベッド仰臥姿勢リハビリ活動・ストレッチ運動等視聴実施録画編集デジタル映像ソフト。本発明によりベッド仰臥者が最も疲労及び身体不可が少ない安全な仰臥姿勢にてリハビリ活動及びストレッチ運動等をベッド仰臥姿勢リハビリ活動・ストレッチ運動等視聴実施録画編集デジタル映像を観ながら行う事ができるベッド仰臥者仰臥姿勢リハビリ・ストレッチ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【００２０】
この課題を解決するための請求項６の発明は、前記請求項５記載のベッド仰臥者仰臥姿勢リハビリ・ストレッチ視聴実施システム装置において、ベッドに仰臥する被介護者の生甲斐及び身体能力の低下減速維持向上等に資し、且つ被介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した、被介護者用ベッド仰臥姿勢一日生活サイクル対応リハビリ視聴実施録画編集デジタル映像ソフトを放映するシステム構造とした、被介護者用ベッド仰臥姿勢一日生活サイクル対応リハビリ視聴実施システム装置。及び被介護者用ベッド仰臥姿勢一日生活サイクル対応リハビリ視聴実施録画編集デジタル映像ソフト。一日生活サイクルに対応したリハビリメニューは要介護者の要介護レベル及び趣味等を考慮した内容とすることが必要であり、且つ被介護者への名前の呼びかけや朝晩の挨拶等の音声を組み込むことが望ましい。音楽や音響等については映像がないものとすることもできる。本発明により被介護者の生甲斐及び身体能力の低下減速維持向上効果をもたらしうる被介護者用ベッド仰臥姿勢一日生活サイクル対応リハビリ視聴実施システム装置の提供が可能となる。且つトイレ・シャワー・入浴機能付帯ベッドの開発発明と本発明装置を組み合わせることで在宅・自立支援型多機能快適介護ベッドの提供が可能となる。
【００２１】
この課題を解決するための請求項７の発明は、前記請求項６記載の被介護者用ベッド仰臥姿勢一日生活サイクル対応リハビリ視聴実施システム装置において、載置するモニターをデジタル放送受像機能又はデジタル放送受像番組予約放映機能のいずれかの機能とデジタル録画映像再生機能を有した構造とするとともに、更に少なくとも１２時間以上のデジタルプログラムタイマー機能を付加しデジタル放送受像放映とデジタル録画映像放映及び放映停止を設定放映プログラムに沿って制御する構造とした、被介護者用ベッド仰臥姿勢一日生活サイクル対応自動テレビ放映・録画再生リハビリ視聴実施システム装置。デジタルプログラムタイマー機能は朝の目覚め及び夜の就寝入眠・熟睡促進効果をもたらす映像・音響をデジタル録画ソフトに組み込むことが望ましいので２４時間対応機能とすることが望ましい。本発明により、介護者の負荷を軽減する形で被介護者の生甲斐及び身体能力の低下減速維持向上効果をもたらしうる被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型自動万能快適介護ベッドの提供が可能となる。
【００２２】
この課題を解決するための請求項８の発明は、前記請求項７記載の被介護者用ベッド仰臥姿勢一日生活サイクル対応自動テレビ放映・録画再生リハビリ視聴実施システム装置において、更に双方向対話機能を双方向対話機能優先システムとして組込んだシステム装置構造とした、双方向対話機能付帯被介護者用ベッド仰臥姿勢一日生活サイクル対応自動テレビ放映・録画再生リハビリ視聴実施システム装置。双方向対話機能をテレビ電話機能とした使用については、設定放映プログラムに最初から時間を定めて組み込む方法、又はテレビ電話機能使用時に予定放映をテレビ電話機能使用時だけ中断する方法で且つ録画再生をテレビ放映に対し優先する中断時間テレビ放映短縮方式のいずれか、又は組合せ方式のいずれかの方式とすることが望ましい。自動受信・ハンズフリー・カメラ機能付帯携帯電話を使用する場合は音量を調整する構造とすることが望ましい。本発明により、被介護者の状況確認、及び家族等との対話が可能となり、且つ介護者の負荷を軽減する形で被介護者の生甲斐及び身体能力の低下減速維持向上効果をもたらしうる双方向対話機能付帯被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【発明の効果】
【００２３】
食事及び他者との交流、起上りリハビリ活動等以外の、全てを最も疲労が少ないベッド仰臥姿勢で、ベッド仰臥者が、テレビ観賞、読書、ゲーム含めたパソコン操作等ができ、且つ顔上部適正高さ位置に載置されたモニター映像を観ながら自分自身で行うリハビリ活動・ストレッチ運動等を可能とし、更に重度要介護者には、家族等との双方向対話テレビ電話機能を有し、且つ重度要介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した被介護者用ベッド仰臥姿勢一日生活サイクル対応リハビリ視聴実施録画編集デジタル映像の放映とデジタル放送受像放映及び放映停止を重度要介護者にマッチした一日生活サイクルに合わせた設定放映プログラムにて放映する、双方向対話機能付帯被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【発明を実施するための最良の形態】
【００２４】
図５は、請求項１〜８の全発明を適用した、テレビ電話機能付帯被介護者用ベッド仰臥姿勢一日生活サイクル対応自動テレビ放映・録画再生リハビリ視聴実施システム装置を、トイレ・入浴・スライドシャワー・遠赤外線暖房ドーム裸生活対応・起床・臀部上下軽微運動機能を有したシンプル・在宅・自立型万能快適介護ベッドに設置した全体正面図である。テレビ電話用カメラ・薄型テレビモニター・書物・鏡・平板情報端末機器、更に本体キーボード一体／液晶画面モニター部回動連結開閉型ノートパソコンを載置した、安価高利便性・仰臥姿勢最少疲労最適視聴操作機能のテレビ等多機能載置装置を、シンプル・在宅・自立対応型万能快適介護ベッドのベッド筐体頭部外周フレームに、ユニット架台の両側垂直支柱部を固定設置する構造にて設置した。テレビ等多機能載置装置部の構造は、旋回載置アーム旋回軸２６４、旋回使用位置決めフレーム２６５、旋回回避位置安全ストッパーピン２６６、多機能載置ユニット旋回支持アーム旋回滑車機能パイプ２７８設置の、請求項２８記載ベッド仰臥者用テレビ等多機能載置装置の１０度傾斜Ｌ字曲げ架台支柱１９２の上部設置アーム部先端側にテレビ本体保護ゴムシート１９６貼り付け薄型テレビ載置固定フレーム１９３Ａを設置し、垂直支柱側に載置する薄型テレビモニターの高さ方向幅に合せてテレビ本体保護ゴムシート１９６貼り付け薄型テレビ載置スライドフレーム１９３Ｂを設置し、載置ユニット高さ調整ボルト２１７で平板情報端末機器等の適正載置高さ位置に合せてベッド筺体左右頭部支柱１５・１６に固定設置し、薄型テレビモニター１９１、ノートパソコン２７４、平板情報端末機器２７３、書物２７２、鏡が載置できる構造とした。平板情報端末機器２７３、書物２７２、鏡の載置構造は、旋回軸旋回載置アーム設置パイプ部２６４−１のアーム挿入穴に多機能載置ユニット旋回支持アーム（Ｕ字曲げ構造）２６１を通し１０度傾斜Ｌ字曲げ架台支柱１９２に設置の旋回使用位置決めフレーム２６５にて適正使用角度の使用位置（２６１a）に設定し且つ前後適正位置に旋回載置アーム長さ位置決めカラー２７０にて設置固定し、多機能載置ユニット旋回載置アーム２６１の左右連結パイプ部にゴムカバー２７１貼り付け段付適正載置幅Ｌ曲げ単体透明樹脂構造とした上部側（仰臥者顎側）載置フレーム２６２を設置し、架台支柱１９２側部に載置物（Ａ４版見開き書物２７２）の高さ幅に合せてゴムカバー２７１貼り付け・スライドガイドプレート２６８設置段付適正載置幅コの字曲げ単体透明樹脂構造とした下部側（仰臥者頭部側）載置フレーム２６３を設置し載置フレーム固定ノブで固定設置する構造とした。載置見開き書物２７２の平坦化押付機能及び多機能載置ユニット旋回載置アーム２６１の未使用退避位置２６１ｂにての落下防止機能対応の載置物押えゴム紐２９１は、片側端設置リング部２９１−２片側端フック部２９１−３設置構造とし旋回載置アーム２６１の両側パイプにゴム紐部２９１−１を引伸ばした状態で設置する構造とした。載置物未使用時の多機能載置ユニット旋回支持アーム２６１の旋回退避構造は、旋回載置アーム２６１のサイドパイプ部の概ね中間部に旋回引上げ紐２７７の片側端を設置し、１０度傾斜Ｌ字曲げ架台��柱１９２の最上部近傍に設置した多機能載置ユニット旋回載置アーム旋回滑車機能パイプ２７８を介して旋回引上げ紐２７７の片側端に設置した旋回引上げ紐用リング２７９を引き下げ概ね８０度位置まで退避旋回する構造とした。旋回引上げ紐用リングの引下げ設置固定用フックは図示していないがシャワーヘッドスライド兼跳上げドーム旋回軸１０１に設置する構造とした。載置物未使用時の多機能載置ユニット旋回載置アーム２６１の使用位置２６１ａへの設置は引下げ設置固定用フックから旋回引上げ紐用リングを外し旋回引上げ紐２７７を戻すことで自重にて旋回設置される構造とした。引き下げ紐を設置する構造とすることもできる。テレビ等多機能載置ユニット１０度傾斜Ｌ字曲げ架台支柱１９２の仰臥者頭部高さやや上部後方位置に制御機器載置テーブル支持フレーム１９８及び制御機器載置テーブル１９９を設置しそのテーブル１９９上に、２４時間デジタルプログラムタイマー等にてテレビデジタル放送受像放映とブルーレイプレーヤーセットブルーレイデスク書込被介護者用ベッド仰臥姿勢一日生活サイクル対応リハビリ視聴実施録画編集デジタル映像放映及び放映停止を設定放映プログラムに沿って制御し且つテレビ電話機能優先対応にて自動制御するシステム機能構造としたテレビ電話優先被介護者用ベッド仰臥姿勢一日生活サイクル対応自動テレビ放映・録画再生リハビリ視聴実施システム装置の制御装置１９７を設置し、且つテレビ等多機能載置装置の薄型テレビ載置固定フレーム１９３Ａ及びテレビ電話用小型カメラ２１８を設置した薄型テレビ載置スライドフレーム１９３Ｂにテレビ電話機能付帯被介護者用ベッド仰臥姿勢一日生活サイクル対応自動テレビ放映・録画再生リハビリ視聴実施システム装置のテレビ電話機能付帯薄型テレビモニター１９１を設置する構造とした。
【００２５】
図６は、請求項１〜８の全発明を適用した、テレビ電話機能付帯被介護者用ベッド仰臥姿勢一日生活サイクル対応自動テレビ放映・録画再生リハビリ視聴実施システム装置を、トイレ・入浴・スライドシャワー・遠赤外線暖房ドーム裸生活対応・起床・臀部上下軽微運動機能を有したシンプル・在宅・自立型万能快適介護ベッドに設置した全体側面図である。詳細説明は図５に記載している。
【００２６】
図７は、請求項５〜６の発明を適用し、請求項３記載のベッド仰臥者用薄型テレビ等載置装置から薄型テレビ以外の載置機能を除外したベッド仰臥者用薄型テレビ載置装置に薄型テレビを載置する構造とした、被介護者用ベッド仰臥姿勢一日生活サイクル対応リハビリ視聴実施システム装置を、トイレ・入浴・スライドシャワー・遠赤外線暖房ドーム裸生活対応・起床・臀部上下軽微運動機能を有したシンプル・在宅・自立型万能快適介護ベッドに設置した全体側面図である。薄型テレビモニター１９１の載置ユニットの構造は、ベッド筺体左右頭部支柱１５・１６構造をテレビモニター載置ユニット支柱兼用構造のベッド筺体左右頭部支柱兼テレビモニター載置ユニット支柱３５７・３５８としそのベッド筺体左右頭部支柱兼テレビモニター載置ユニット支柱３５７・３５８の上端部近傍に設けた対水平概ね１０度傾斜設置穴部に薄型テレビ載置支持アーム２００を挿入設置し、その薄型テレビ載置支持アーム２００に薄型テレビ載置固定フレーム１９３Ａ及び薄型テレビ載置スライドフレーム１９３Ｂを設置しその載置フレーム上に薄型モニター１９１を設置する構造とした。又、ベッド筺体左右頭部支柱兼テレビモニター載置ユニット支柱３５７・３５８にベッド頭部側載置テーブル設置フレーム３５１を設置しそのテーブル設置フレーム３５１にベッド頭部側載置テーブル３５２を設置し、そのベッド頭部側載置テーブル３５２にブレーレイプレーヤー３５４を設置し、そのブレーレイプレーヤー３５４に被介護者用ベッド仰臥姿勢一日生活サイクル対応リハビリ視聴実施録画編集デジタル映像ソフトを書込んだブレーレイディスクを装着し薄型テレビモニター１９１から放映する構造とした。
【００２７】
図１３は、板情報端末機器２７３、書物２７２、鏡、及びノートパソコン２７４までベッド仰臥者の適正視聴・操作角度・位置に載置できるベッド仰臥者用多機能載置装置の上面図である。正面図、側面図は、多機能載置ユニット架台支柱２６０だけがテレビ等多機能載置ユニット架台支柱１９２に変るが図５及び図６記載テレビ電話優先被介護者用ベッド仰臥姿勢一日生活サイクル対応自動テレビ放映・録画再生リハビリ視聴実施システム装置のベッド仰臥者用テレビ等多機能載置装置と同一構造である。詳細説明は図５に記載している。
【図面の簡単な説明】
【００２８】
【図５】図５は、テレビ電話用カメラ・薄型テレビモニター・書物・鏡・平板情報端末機器の全て、更に本体キーボード一体／液晶画面モニター部回動連結開閉型ノートパソコンを載置した、テレビ電話機能付帯被介護者用ベッド仰臥姿勢一日生活サイクル対応自動テレビ放映・録画再生リハビリ視聴実施システム装置を、シンプル・在宅・自立対応型自動万能快適介護ベッドのベッド筐体頭部外周フレームに、ユニット架台の両側垂直支柱部を固定設置する構造にて設置した、介護ベッドを含む全体正面図である。
【図６】図６は、テレビ電話用カメラ・薄型テレビモニター・書物・鏡・平板情報端末機器の全て、更に本体キーボード一体／液晶画面モニター部回動連結開閉型ノートパソコンを載置した、テレビ電話機能付帯被介護者用ベッド仰臥姿勢一日生活サイクル対応自動テレビ放映・録画再生リハビリ視聴実施システム装置を、シンプル・在宅・自立対応型自動万能快適介護ベッドのベッド筐体頭部外周フレームに、ユニット架台の両側垂直支柱部を固定設置する構造にて設置した、介護ベッドを含む全体側面図である。
【図７】図７は、ベッド仰臥者用薄型テレビ載置装置に薄型テレビを載置する構造とした、被介護者用ベッド仰臥姿勢一日生活サイクル対応リハビリ視聴実施システム装置を、シンプル・在宅・自立対応型万能快適介護ベッドのテレビモニター載置ユニット支柱兼用構造ベッド筺体頭部支柱に設置する構造にて設置した、介護ベッドを含む全体側面図である。
【図１３】図１３は、板情報端末機器２７３、書物２７２、鏡、及びノートパソコン２７４までベッド仰臥者の適正視聴・操作角度・位置に載置できるベッド仰臥者用多機能載置ユニットの上面図である。
【符号の説明】
【００２９】
11   ベッド筺体外周枠左フレーム
12   ベッド筺体外周枠右フレーム
13   ベッド筺体外周枠頭部フレーム
14   ベッド筺体外周枠足部フレーム
15   ベッド筺体左頭部支柱
16   ベッド筺体右頭部支柱
17   ベッド筺体左足部支柱
18   ベッド筺体右足部支柱
19   ベッド筺体足部補強フレーム
20   ベッド筺体左側補強フレーム
21   ベッド筺体右側補強フレーム
22   ベッド筺体頭部補強フレーム
30  全面梨地状凹凸シリコンゴムシート
31   シリコンゴムシート（人体仰臥接触範囲凹凸面）
33   お尻洗浄機能付帯樹脂製小型便器（固定フランジ付）
41  上下駆動ベース左
42  上下駆動ベース右
43  上下駆動台形ネジ
44  上下駆動台形ネジナット
45  上下駆動ガイドシャフト
46  上下駆動リニアブッシュ
47  上下駆動台形ネジ用BB
48  上下駆動ギアモータ
49  上下駆動ギアモータフレームA
50  上下駆動ギアモータフレームB
51  駆動タイミングプーリ
52  従動タイミンブプーリ
53  タイミングベルト
54  上下位置検知センサ
55  上下駆動位置検知プレート
91  臀部支持構造体（兼上下駆動フレーム）
92  背凭れ兼背部支持構造体
93  頭部支持構造体
94  膝上腿部支持構造体
94Z 傾斜固定設置下半身支持構造体
95  足部支持構造体
96  横スライド支持フレームA
97  横スライド支持フレームB
98  連結蝶番
99  横スライドカムフォロア
100  低反発弾性ウレタンフォームマットレス（マットレス）
101  シャワーヘッドスライド兼跳上げドーム旋回軸
102  跳上げドームフレーム
114  ドーム多機能シート
115  ドーム肩・頭顔部防水断熱シート
121  シャワーヘッド
141  サーモスタットシャワー混合栓
161  小型空調機
171  遠赤外線ストレートヒーター
181  万能介護ベッド自動制御ボックス
182  万能介護ベッド手元操作ボックス
183  万能介護ベッド自動操作信号伸縮ケーブル
190  薄型テレビ
191  テレビ電話機能付帯薄型テレビモニター
192  テレビ等多機能載置ユニット１０度傾斜Ｌ字曲げ架台支柱
193A 薄型テレビ載置固定フレーム
193B薄型テレビ載置スライドフレーム
194  電源ケーブル
195  通信・制御ケーブル
196  テレビ本体保護ゴムシート
197  テレビ電話機能付帯被介護者用ベッド仰臥姿勢一日生活サイクル対応自動テレビ放映・録画再生リハビリ視聴実施システム装置用制御ユニット
198  テレビ等多機能載置ユニット制御機器載置テーブル支持フレーム
199  テレビ等多機能載置ユニット制御機器載置テーブル
200  薄型テレビ載置支持アーム
201  室内床板
217  載置ユニット高さ調整ボルト
218  テレビ電話用小型カメラ
219  小型カメラ設置フレーム
260  多機能載置ユユット架台支柱
261  多機能載置ユユット旋回載置アーム（パイプＵ字曲げ構造）
261a  載置ユユット旋回支持アーム使用位置
261b  載置ユユット旋回支持アーム未使用退避位置
262  上部側（仰臥者顎側）載置フレーム
263  下部側（仰臥者頭部側）載置フレーム
W1  載置フレーム中央部載置幅
W2  載置フレーム両サイド部載置幅
264  旋回支持アーム旋回軸
264-1 旋回軸旋回支持アーム設置パイプ部
264-2 旋回軸両側旋回軸部
264-3 旋回軸旋回ストッパアーム部
265  旋回支持アーム旋回使用位置決めフレーム
266  旋回支持アーム旋回回避位置安全ストッパーピン
267  旋回支持アーム旋回クッションゴムカバー
268  載置フレームスライドガイドプレート
269  載置フレーム固定ノブ
270  旋回支持アーム長さ位置決めカラー
271  ゴムカバー
272  Ａ４版見開き書物
273  Ａ４サイズ情報端末機器（横長載置）
273-1Ａ４サイズ情報端末機器タッチパネル操作範囲
274  ノートパソコン
275  ノートパソコン載置フレーム
275-1 ノートパソコン載置フレーム本体部
275-2載置フレーム旋回円筒摺動部
275-3載置フレーム保護ゴムチューブ部
276  ノートパソコン載置フレーム旋回固定ノブ
277  多機能載置ユユット旋回支持アーム旋回引上げ紐
278  多機能載置ユユット旋回支持アーム旋回滑車機能パイプ
279  旋回引上げ紐用リング
281  土台枕
282  土台枕高さ調整ボルト
283  土台枕固定ボルト
291  載置物押えゴム紐
291-1載置物押えゴム紐部
291-2載置物押え設置リング部
291-3載置物押えフック部
300a  人体仰向け水平横臥姿勢体
300b  人体シャワー及びトイレ姿勢体
300c  人体入浴姿勢体
300d  人体起上り膝曲げ姿勢体（食事・頭髪洗浄対応姿勢）
300e  人体反り姿勢体
341  情報端末機器等操作肘受けマット
351  ベッド頭部側載置テーブル設置フレーム
352  ベッド頭部側載置テーブル
353  テーブルタップ
354  ブレーレイプレーヤー
355  ベッド照明ライト
356  ベッド照明フレーム
357  ベッド筺体左頭部支柱兼テレビモニター載置ユニット支柱
358  ベッド筺体右頭部支柱兼テレビモニター載置ユニット支柱
【図５】
2016172031.tif 000003
【図６】
2016172031.tif 000004
【図７】
2016172031.tif 000005
【図１３】
2016172031.tif 000006
【手続補正書】
【提出日】平成28年6月16日(2016.6.16)
【手続補正１】
【補正対象書類名】明細書
【補正対象項目名】全文
【補正方法】変更
【補正の内容】
【発明の詳細な説明】
【技術分野】
【０００１】
本発明は、ベッド仰臥者又はベッド仰臥被介護者が仰臥姿勢で使用、又は観賞するベッド仰臥者用薄型テレビ等多機能載置装置、及びリハビリ・ストレッチ視聴実施システム装置、及びベッド仰臥姿勢リハビリ活動・ストレッチ運動等視聴実施録画編集デジタル映像ソフト、及び被介護者用ベッド仰臥姿勢一日生活サイクル対応リハビリ視聴実施システム装置、及び被介護者用ベッド仰臥姿勢一日生活サイクル対応リハビリ視聴実施録画編集デジタル映像ソフト、及び被介護者用ベッド仰臥姿勢一日生活サイクル対応自動テレビ放映・録画再生リハビリ視聴実施システム装置に関するものである。
【背景技術】
【０００２】
超高齢社会化で重度要介護者が急増し介護施設・介護士も不足している状況にも関わらず、在宅型トイレ・シャワー機能付帯多機能介護ベッドも安価・高利便性ベッド仰臥姿勢対応テレビ観賞載置装置もリハビリ支援システムも開発・市販されていない。一般に市販されている介護ベッド用テレビ載置装置は、人体の目の位置から１m未満、且つ介護及びベッド仰臥者の非テレビ観賞時に邪魔になる起上り姿勢対応もしくは横向き姿勢対応構造がほとんどであり、邪魔にならず安価且つ実用的で仰臥姿勢対応のテレビ載置装置、及び高利便性の新聞・書物の読書・情報端末機操作対応多機能載置装置が市販されておらず、必然的にベッド仰臥姿勢で顔部上方部に設置されたモニター映像を観ながら行う、ベッド仰臥姿勢リハビリ活動・ストレッチ運動等視聴実施録画編集デジタル映像ソフト等も開発されていない。ベッド仰臥者の極小疲労最適テレビ観賞姿勢及び極薄軽量液晶テレビでの安価天井近傍設置容易性に対する認識が極めて低く、且つ重度要介護者のベッド仰臥姿勢でのテレビ観賞及びリハビリ運動及び読書・情報端末機器操作等の重要性に対する認識も極めて小さいことに起因すると考えられる。仰臥姿勢でのテレビ観賞及びリハビリ運動及び読書・情報端末機器操作等の安価・高利便性ベッド用多機能載置機器がないが故に、重度要介護者にとって疲労及び転落ポテンシャル等の弊害がある長時間のベッド起上り姿勢生活を余儀なくされているのが現状である。歩行障害者の筋肉トレーニングも含めてリハビリを無理なく安全に行うことができ且つ最も疲労が少なくテレビ観賞・読書等ができるのが仰臥姿勢であり、視野角２０度以内で１m以上離れた頭顔部天井近傍設置の薄型テレビでリハビリソフト映像見ながらのリハビリ及びその他のテレビ観賞ができ且つ読書・情報端末機操作対応機能の多機能載置装置、及びリハビリ・ストレッチ視聴実施システム装置、及びベッド仰臥姿勢リハビリ活動・ストレッチ運動等視聴実施録画編集デジタル映像ソフト、及び被介護者用ベッド仰臥姿勢一日生活サイクル対応リハビリ視聴実施システム装置、及び被介護者用ベッド仰臥姿勢一日生活サイクル対応リハビリ視聴実施録画編集デジタル映像ソフト、及び被介護者用ベッド仰臥姿勢一日生活サイクル対応自動テレビ放映・録画再生リハビリ視聴実施システム装置等の開発が望まれている。又、女性高齢要介護者のリハビリにおいて美容維持意識が重要であり読書及び情報端末機器の載置部に四角平板鏡が載置できる構造とすることも望まれる。
【０００３】
ベッド上でのテレビ観賞テレビ設置構造も沢山発明開示されてが、人体の目の位置から１m未満、且つ邪魔になる起上り姿勢もしくは横向き姿勢対応設置構造がほとんどである。最も疲労が少ない仰臥状態観賞で、安価、且つ寝疲れ防止機能・睡眠時画像自動消灯機能付帯、視野角１５度以内で１m以上離れた頭顔部天井近傍薄型テレビ設置構造が理想と考えられるが全ての機能を満たしたシステムの発明開示は見当たらない。但し仰臥姿勢で好適視野角・好適距離で観賞できる構造の発明開示は幾つかある。開示例として特許文献１がある。本特許文献１の開示発明にも解決すべき幾つかの課題がある。
【０００４】
開示例特許文献１のテレビ設置構造は、ベッド筺体外周枠長手方向概ね中心部側壁に足側筺体枠側壁部からベッド仰臥者の頭顔部まで任意位置に旋回固定できる旋回アームに薄型テレビを３次元に旋回調整固定可能なる構造で設置した構造である。本構造は、極めて高価であると同時に、アーム旋回時の指等挟まれポテンシャルがあり、且つ安全カバーの設置も広範囲となるので困難である。
【０００５】
ベッド生活が長期化する被介護者にとって、テレビ観賞と合わせて読書、及び多彩な機能及びリハビリソフトの活用もできる端末機器及びノートパソコン等が、仰臥姿勢で疲労しないで使用でき、且つ簡単設置・退避できる載置装置が求められる。又、電子書籍機能を内蔵した情報端末が普及してきており、更にはキーボードタッチパネルタイプノートパソコンも開発されている。これらの全てに対応できる安価な載置装置が理想である。それらの全ての機能を満たす発明開示は見当たらない。簡単設置・退避機能を有した書籍載置、及び書物・情報端末機器載置の発明開示は沢山ある。開示例として特許文献２及び３がある。しかしそれぞれの発明開示にそれぞれ解決すべき課題がある。
【０００６】
開示例特許文献２のベッド用書物又は情報端末機器用載置台は、ベッド筺体両サイドフレーム等に載置装置架台支柱を設置しその両側架台支柱に回動可能スライドガイドを設置しその両側スライドガイドに載置台円弧状スライドガイド機能を有する円弧状のアームを伸縮自在位置調整設置固定する構造で、且つその円弧状アームに円弧状アーム形状に沿って摺動移動できる載置台を設置し、且つその載置台に中央に見開き書物の中央を保持する旋回棒を片側簡単着脱構造で設置し更に４隅に書物及び情報端末機器弾性体押え金具が大きさに合せた位置に設置する仰臥姿勢及び横向姿勢両姿勢に対応できる構造になっている。装置架台支柱がベッドサイド設置構造のためベッド専用載置装置構造であり、且つ中間支持棒及び４隅金具支持構造は書物ページ捲り性及び隅部が隠れて読めない及び保時の確実性、等の問題がある。横向姿勢対応機能もあってもよいが、操作性及び安定保持機能性及び機能効果に見合ったコストで提供することが必要である。又、テレビについても載置可能と記されているが本構造では少なくともサイズ２１吋以上テレビの安全保持強度の確保は困難である。
【０００７】
開示例特許文献３の仰臥用書見台は、ベッド頭部側ベッド筺体フレーム等に装置架台を設置し旋回支持アームに旋回構造書物押え棒とネジガイドバーを設置し、そのネジガイドバーに載置幅を書物上下の余白幅とする前後２個のＬ型透明載置フレームを片側固定片側ネジナット嵌合フレーム回転移動書物高さ調整構造で設置する構造であり、且つネジガイドバーに対し載置フレーム上側（仰臥者顎側）ネジガイドバー下側Ｌ型載置面構造、載置フレーム下側（仰臥者頭側）ネジガイドバー上側Ｌ型載置面構造で載置フレームを書物高さ幅に合せて設置し、書物を見開き状態でネジガイドバー及び載置フレームの載置面の上に且つ載置フレーム上側（仰臥者顎側）のＬ型立ち上り面に突き当てて載置し、且つ上方より旋回書物押え棒で押し付ける構造である。本構造ではネジガイドバーがあるため書物のページ捲り性が悪く、更に載置幅が書物上下余白幅では１０mm以下程度となるため薄紙の書物だとサイド保持できるサイズが制限される。又、本発明は書物限定であり情報端末機器はネジガイドバーが邪魔するため載置できない。
【０００８】
被介護者のリハビリ効果として、特に女性において化粧による効果が大きいことが良く知られている。従って書物、平板型情報端末機器、鏡のすべてが載置できるベッド仰臥者用載置装置とすることが求められる。
【０００９】
在宅被介護者にとって重要課題の一つが対話である。最近脳の再生がクローズアップされてきたが、認知症リハビリ重要有効手段のひとつが対話である。テレビ電話機能付き機器が徐々に普及してきているが、寝たきり者に活用されている事例は極めてすくない。又、重度要介護者の介護における介護者外出制約の緩和を図る上でもカメラ機能付帯双方向対話機能付加は需要である。仰臥者が仰臥姿勢でモニターを見ながら対話できる載置装置及びシステムの発明開示は見当たらない。テレビ電話システムで在宅看護支援を行う発明開示は沢山ある。開示例特許文献４の遠隔介護支援システムは、介護ベッドサイドにカメラ・モニター付き電話を設置し、介護施設等のホストコンピューターと回線接続し、健康状況の確認と対話支援をするシステムとなっている。ベッドサイド設置では寝たきり者には疲労が伴い、楽しい対話となりにくく有効性に欠ける。監視システムではない、仰臥姿勢で家族等と対話でき且つ介護者が外出先から要介護者の状況が確認できる安価機能のシステムの提供が必要である。
【００１０】
健康ブームに乗って、健康維持・増進・回復を図る様々な分野で、運動、及び指圧・マッサージ、ストレッチ運動等、沢山実施されている。しかし、ベッド上仰臥姿勢で、且つ録画編集モニター映像を見ながら、且つ自分自身で行う、ベッド仰臥姿勢リハビリ活動・ストレッチ運動等視聴実施録画編集デジタル映像ソフト、及びリハビリ・ストレッチ視聴実施システム装置等の市販及び発明開示は見当たらない。重度要介護者が急増しており、特に度要介護者対応のベッド上仰臥姿勢で、且つ録画編集モニター映像を見ながら、且つ自分自身で行えるリハビリ支援ソフト及びリハビリ支援システム装置の発明提供を急ぐ必要がある。
【００１１】
日本国における認知症患者数は２７０万人とも言われている。認知症等のリハビリソフトは、ゲーム方式等のパソコンやゲーム機器を使用するソフトは沢山あるが、被介護者の一日の生活リズムに合せて一日生活サイクル対応リハビリ支援ソフトの開発発明開示は見当たらない。
【００１２】
被介護者用のリハビリシステムの発明開示は沢山ある。開示例特許文献５の痴呆リハビリシステムは、介護施設等のリハビリサーバー装置と施設内で回線接続し端末機器のモニターにて映像・音響放送を、リハビリソフトを含めて行うシステムであり、且つ電話回線接続機能も有した被介護者用リハビリシステムである。本システムは、電話回線接続はとりこめるが主に監視用であり、システム全体として在宅被介護者との回線接続システムではないため在宅被介護者リハビリシステム機能は持っていない。又、リハビリ内容は個人毎に管理されたメニューによって選択されるが、他の内容は施設統一システムであり個人の趣向に合せる機能を有していない。又、モニターの設置構造は被介護者仰臥姿勢顔部天井方向上設置構造とすべきであるが、モニター設置構造の記述は無い。施設との連携システムとしては幾つかの改善で必要機能を満たしたシステムとなるが、安価なる個人毎の在宅介護支援システムが求められる。
【００１３】
被介護者の趣向及び一日の生活リズムに合せた映像・音響放送を可能とするシステムの発明開示もある。開示例特許文献６の自動放映システムは、テレビ又はラジオ番組の事前情報及び記録放送情報から登録指定時間プログラムに沿って登録指定番組もしくは過去の実績情報を基に自動選択して放送する手段を有したクライアント情報処理装置再生インターネット配信システムである。被介護者の仰臥姿勢顔天井方向上部設置薄型テレビ観賞構造とすれば日付や曜日も判り生活刺激を受けることができるが、あくまでも観賞システムに過ぎない。リハビリソフト、及び家族、親戚、友達等のメッセイジ録画映像、更にはテレビ電話対話等の機能が織り込まれた総合的支援システムが求められる。
【特許文献１】特開2006-296473号広報
【特許文献２】特開2005-287883号広報
【特許文献３】特開2007-105431号広報
【特許文献４】実登3064460号広報
【特許文献５】特開2000-268118号広報
【特許文献６】特開2003-10149号広報
【発明の開示】
【発明が解決しようとする課題】
【００１４】
急進する高齢化社会で急増する要介護者。人生最後まで生きる喜びを感じていたい。この誰もが願う希望を叶えるシンプル・安価・在宅・自立支援型自動万能快適介護ベッドを提供することが総合課題であり、その重要必要機能の一つとなる、食事及び他者との交流、起上りリハビリ活動等以外の、全てを最も疲労が少ない仰臥姿勢で、テレビ観賞、読書、ゲーム含めたパソコン操作ができるベッド仰臥者用多機能載置装置、及びベッド仰臥者が仰臥姿勢にて顔上部適正高さ位置に載置されたモニター映像を観ながら自分自身で行うリハビリ・ストレッチ視聴実施システム装置の提供、更に重度要介護者には、家族等との双方向対話テレビ電話機能を有し、且つ重度要介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した被介護者用ベッド仰臥姿勢一日生活サイクル対応リハビリ視聴実施録画編集デジタル映像の放映とデジタル放送受像放映及び放映停止を重度要介護者にマッチした一日生活サイクルに合わせた設定放映プログラムにて放映する、テレビ電話優先被介護者用ベッド仰臥姿勢一日生活サイクル対応自動テレビ放映・録画再生リハビリ視聴実施システム装置を提供することを課題とするものである。
【課題を解決するための手段】
【００１５】
この課題を解決するための請求項１の発明は、書物、平板型情報端末機器、等が載置できるベッド仰臥者用多機能載置装置において、装置主要構成構造を、ユニット架台、旋回軸、旋回載置アーム、上部側（仰臥者顎側）載置フレーム、下部側（仰臥者頭部側）載置フレーム、適正使用位置・未使用退避位置旋回保持機構で構成する構造とし、ユニット架台構造を高さ調整設置機能を有した構造で且つ床置き自立ベッド筐体頭部外周フレーム隣接設置構造又は床置き自立構造でのベッド筐体頭部外周フレーム固定設置構造又はベッド筐体頭部外周フレーム固定設置構造のいずれかの設置構造としユニット架台の両側垂直支柱部に旋回載置アームを設置する下記旋回軸をベッド筐体頭部外周フレームと平行方向に且つ左右位置固定構造とする旋回可動構造で設置し且つ適正使用位置・未使用退避位置旋回保持機構を有した構造とするとともに、旋回軸構造を下記旋回載置アームの両側直線フレーム部を旋回軸に旋回載置アームをベッド長さ方向の前後突出し長さ調整可動固定設置構造で設置する構造とし、旋回載置アーム構造を上部側（仰臥者顎側）に載置物落下防止壁を有するコの字構造としコの字左右コーナー部と左右連結直線部の下部に上部側載置フレームを固定設置しコの字左右直線部に下部側載置フレームを載置物の上下幅と適正載置支持幅に合わせた任意可動設置固定構造で設置する構造とし、且つ上記上部側載置フレームと下部側載置フレームの構造を上部側及び下部側の載置物のそれぞれの載置支持幅を少なくともＢ５版見開き書物が上下載置フレーム間から落下せず且つ平板型情報端末機器のタッチパネル操作及びフリック操作に支障がない適正載置支持幅（例えば概ね15〜20mm程度）とする直線適正載置支持幅構造、もしくは中心部振り分け適正範囲部分（たとえば概ね260mm程度）においてはＢ６版見開き書物及び概ねＡ４サイズ等の横長設置平板型情報端末機器機及び概ねＢ５サイズ等の鏡が落下せず設置でき且つ書物のページ捲り及び平板型情報端末機器のタッチパネル操作及びフリック操作に支障がない適正載置支持幅（例えば概ね15〜20mm程度）としその両外側を少なくともＡ５〜Ａ４版見開き書物の落下及びページ捲りに支障のない適正載置支持幅（例えば概ね30〜45mm程度）とした段付適正載置幅構造のいずれかの適正載置幅構造体構造とし、且つその載置フレームの少なくとも載置幅部分の材質を透明体とした構造とした、ベッド頭部側設置・載置アーム旋回・載置幅調整透明板上下載置フレーム指操作部解放構造とした。載置可能寸法サイズは新聞半面対応の少なくともＡ３対応サイズとすることが望ましい。下部側（仰臥者頭部側）載置フレームの構造は、旋回載置アーム設置部を平坦構造とし旋回載置アーム間を載置面外側を未使用退避位置旋回時落下防止壁及び強度アップ対応構造としてＬ曲げ構造とすることが望ましい。任意位置設置固定対応機能構造とする載置フレームの任意位置設置構造は、両側支持アームをスライドガイドとしノブ又はバネレバー等による簡単固定構造とすることが望ましい。又、突当て載置幅形成機能部を設けた載置フレームの突当て載置幅形成機能部に傷防止、滑り防止等を目的に柔軟性ゴムを設置する構造とすることもできる。又載置フレームは、両側共に全光透���率９０％以上の強度を有した透明樹脂製とし少なくとも両側設置固定等を除く部分を撓み強度確保及び載置幅形成機能・落下防止機能を兼ねるＬ型形状等の単体構造とし且つ厚さを４mm程度とすることが望ましい。尚、本発明構造は載置フレームの載置面が一部書物の印刷部にかかる構造なので載置フレーム透明体の厚さが５mm以下であれば障害はほとんどないが、５mmを超えると文字等が幾分見難くなる欠点があるので厚さは５mm以下とすることが望ましい。又、少なくとも１７吋程度のテレビ受像機能付帯情報端末機器・液晶画面/本体一体型ノートパソコン（キーボード軽量化ｏｒ分離ｏｒレス）等の載置対応機能とすることが望ましい。又、本体キーボード一体／液晶画面モニター部回動連結開閉型ノートパソコンの本多機能載置ユニットへの設置方式の一例については本分割特許出願の原出願特許「特願２０１１−０６１８２９請求項２０」で開示しているが一般的ノートパソコン載置対応構造とすることもできる。本発明により安価にして、仰臥姿勢での書物及び平板情報端末機器のページ捲り及びタッチパネル操作及びフリック操作性に優れ、且つ女性被介護者の生甲斐となる化粧対応鏡も設置できるベッド仰臥者用多機能載置装置の提供が可能となる。
【００１６】
この課題を解決するための請求項２の発明は、前記請求項１記載のベッド仰臥者用多機能載置装置において、見開き書物の平坦化押付機能、又はベッド仰臥者用多機能載置装置未使用時退避旋回載置面立ち上り保持状態における書物及び鏡及び平板型情報端末機器等の落下防止機能、又は両機能となるいずれかの構造で、且つ書物及び鏡及び平板型情報端末機器等の着脱に支障のない構造で、高伸縮性を有するゴム紐又はゴムバンドを、必要張力を与えた状態で且つ背面左右引き渡し構造で設置する構造とした。両側支持アームに設置する高伸縮性ゴム紐又はゴムバンド押えの両端構造は両側フック構造もしくは片側フック片側移動可能リング構造とすることが望ましい。複数設置する構造とすることもできる。本発明により見開き書物の押付効果で読み易さが増し且つ載置物の着脱性を損なわずに旋回退避時の落下を防止する操作性、機能性に優れた、書物・鏡・平板型情報端末機器の全てを載置できるベッド仰臥者用多機能載置装置の提供が可能となる。
【００１７】
この課題を解決するための請求項３の発明は、前記請求項１から２のいずれかの項記載のベッド仰臥者用多機能載置装置において、ユニット架台の両側垂直支柱を、天井方向に延し、且つそのユニット架台両側垂直支柱の上端部にベッド仰臥者の直線視線に対し上下視野角が２０度以内となる設置角度で且つベッド仰臥者の目の高さ位置より少なくとも１.０m以上の距離を有する高さに少なくともサイズ１７吋以上薄型テレビが設置できる構造、又は更に旋回支持アーム部に旋回作動用紐等を設置し且つユニット架台両側垂直支柱の上部位置に滑車機能構造体を設置し旋回作動用紐の操作により旋回支持アームの上方回避旋回及び使用位置設置機能をもたせた構造のいずれかの載置機能構造のベッド仰臥者用薄型テレビ等多機能載置ユニットとした。滑車方式による操作は退避旋回位置角度を垂直位置より例えば仰臥者側に１０度程度の傾斜角度位置にすることで引上げ紐１本でも退避・設置操作が可能となる。本発明により、仰臥者が仰臥姿勢のままで旋回載置アームの設置及び退避ができ、且つ安価にして充分な耐震強度を持つ、既存ベッドにも簡単に設置できる、且つ最少疲労最適使用条件を満たし、且つ薄型テレビ観賞及び書物・鏡・平板型報端末機器・ノートパソンまで使用できるベッド仰臥者用テレビ等多機能載置装置の提供が可能となる。
【００１８】
この課題を解決するための請求項４の発明は、前記請求項１から３のいずれかの項記載の、ベッド仰臥者用多機能載置装置、又はベッド仰臥者用薄型テレビ等多機能載置装置、又は請求項３記載のベッド仰臥者用薄型テレビ等載置装置から薄型テレビ以外の載置機能を除外したベッド仰臥者用薄型テレビ載置装置のいずれかの載置装置において、それらの載置装置に、テレビ電話用カメラ、又はテレビ電話機能付帯情報端末機器（情報端末機器同様載置）、又は自動受信・ハンズフリーテレビ電話機能付帯携帯電話、又は自動受信・ハンズフリー・カメラ機能付帯携帯電話、又は自動受信・ハンズフリー機能携帯電話、等のいずれかの双方向対話対応機能機材を、他の機器操作・使用に支障がない且つカメラ機能を備えた機材についてはベッド仰臥者の少なくとも顔部分が撮影できる構造で設置する、双方向対話対応機能付帯構造とした。テレビ電話機能付帯情報端末機器は平板型であれば平板型情報端末機器同様載置構造で使用できる。ハンズフリー・カメラ機能付帯携帯電話、自動受信・ハンズフリー機能携帯電話は平板型情報端末機器同様載置構造で使用できないときはハンズフリー・カメラ機能付帯携帯電話、自動受信・ハンズフリー機能携帯電話簡単着脱構造の載置プレートにそれらを設置状態で載置する構造等とすることが望ましい。本発明により最少疲労最適使用条件を満たし、薄型テレビ観賞、読書、且つ平板型報端末機器まで使用でき、更に被介護者の状況確認は勿論双方向対話まで可能としたベッド仰臥者用テレビ等多機能載置装置、又はベッド仰臥者用多機能載置ユニットの提供が可能となる。ベッド仰臥姿勢リハビリ映像ソフト及びトイレ・シャワー・入浴機能付帯ベッドの開発発明と本発明多機能載置装置を組み合わせることで在宅・自立支援型多機能快適介護ベッドの提供が可能となる。
【００１９】
この課題を解決するための請求項５の発明は、前記請求項１から４のいずれかの項記載の、ベッド仰臥者用多機能載置装置、又はベッド仰臥者用薄型テレビ等多機能載置装置、又は請求項３記載のベッド仰臥者用薄型テレビ等載置装置から薄型テレビ以外の載置機能を除外したベッド仰臥者用薄型テレビ載置装置のいずれかの載置装置において、載置装置の載置機能に合致し且つデジタル録画映像再生機能を有した、薄型テレビ又は情報端末機器又はノートパソコンのいずれかを、ベッド仰臥者が仰臥姿勢にてそれらのモニター映像を観ながらリハビリ活動・ストレッチ運動等が実施できる適正高さに載置した構造とし、且つベッド仰臥者が仰臥姿勢にてそれらのモニター映像を観ながら自分自身で行うための実演者が仰臥姿勢で実際に行う深呼吸・軽微運動・ストレッチ運動・筋トレ運動・指圧マッサージ・ヨガ・気功及び心を癒す映像等を音響・説明等を含めた構成で録画映像化したベッド仰臥姿勢リハビリ活動・ストレッチ運動等視聴実施録画編集デジタル映像ソフトを放映するシステム構造とした、ベッド仰臥者仰臥姿勢リハビリ・ストレッチ視聴実施システム装置。及びベッド仰臥姿勢リハビリ活動・ストレッチ運動等視聴実施録画編集デジタル映像ソフト。本発明によりベッド仰臥者が最も疲労及び身体不可が少ない安全な仰臥姿勢にてリハビリ活動及びストレッチ運動等をベッド仰臥姿勢リハビリ活動・ストレッチ運動等視聴実施録画編集デジタル映像を観ながら行う事ができるベッド仰臥者仰臥姿勢リハビリ・ストレッチ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【００２０】
この課題を解決するための請求項６の発明は、前記請求項５記載のベッド仰臥者仰臥姿勢リハビリ・ストレッチ視聴実施システム装置において、ベッドに仰臥する被介護者の生甲斐及び身体能力の低下減速維持向上等に資し、且つ被介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した、被介護者用ベッド仰臥姿勢一日生活サイクル対応リハビリ視聴実施録画編集デジタル映像ソフトを放映するシステム構造とした、被介護者用ベッド仰臥姿勢一日生活サイクル対応リハビリ視聴実施システム装置。及び被介護者用ベッド仰臥姿勢一日生活サイクル対応リハビリ視聴実施録画編集デジタル映像ソフト。一日生活サイクルに対応したリハビリメニューは要介護者の要介護レベル及び趣味等を考慮した内容とすることが必要であり、且つ被介護者への名前の呼びかけや朝晩の挨拶等の音声を組み込むことが望ましい。音楽や音響等については映像がないものとすることもできる。本発明により被介護者の生甲斐及び身体能力の低下減速維持向上効果をもたらしうる被介護者用ベッド仰臥姿勢一日生活サイクル対応リハビリ視聴実施システム装置の提供が可能となる。且つトイレ・シャワー・入浴機能付帯ベッドの開発発明と本発明装置を組み合わせることで在宅・自立支援型多機能快適介護ベッドの提供が可能となる。
【００２１】
この課題を解決するための請求項７の発明は、前記請求項６記載の被介護者用ベッド仰臥姿勢一日生活サイクル対応リハビリ視聴実施システム装置において、載置するモニターをデジタル放送受像機能又はデジタル放送受像番組予約放映機能のいずれかの機能とデジタル録画映像再生機能を有した構造とするとともに、更に少なくとも１２時間以上のデジタルプログラムタイマー機能を付加しデジタル放送受像放映とデジタル録画映像放映及び放映停止を設定放映プログラムに沿って制御する構造とした、被介護者用ベッド仰臥姿勢一日生活サイクル対応自動テレビ放映・録画再生リハビリ視聴実施システム装置。デジタルプログラムタイマー機能は朝の目覚め及び夜の就寝入眠・熟睡促進効果をもたらす映像・音響をデジタル録画ソフトに組み込むことが望ましいので２４時間対応機能とすることが望ましい。本発明により、介護者の負荷を軽減する形で被介護者の生甲斐及び身体能力の低下減速維持向上効果をもたらしうる被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型自動万能快適介護ベッドの提供が可能となる。
【００２２】
この課題を解決するための請求項８の発明は、前記請求項７記載の被介護者用ベッド仰臥姿勢一日生活サイクル対応自動テレビ放映・録画再生リハビリ視聴実施システム装置において、更に双方向対話機能を双方向対話機能優先システムとして組込んだシステム装置構造とした、双方向対話機能付帯被介護者用ベッド仰臥姿勢一日生活サイクル対応自動テレビ放映・録画再生リハビリ視聴実施システム装置。双方向対話機能をテレビ電話機能とした使用については、設定放映プログラムに最初から時間を定めて組み込む方法、又はテレビ電話機能使用時に予定放映をテレビ電話機能使用時だけ中断する方法で且つ録画再生をテレビ放映に対し優先する中断時間テレビ放映短縮方式のいずれか、又は組合せ方式のいずれかの方式とすることが望ましい。自動受信・ハンズフリー・カメラ機能付帯携帯電話を使用する場合は音量を調整する構造とすることが望ましい。本発明により、被介護者の状況確認、及び家族等との対話が可能となり、且つ介護者の負荷を軽減する形で被介護者の生甲斐及び身体能力の低下減速維持向上効果をもたらしうる双方向対話機能付帯被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【発明の効果】
【００２３】
食事及び他者との交流、起上りリハビリ活動等以外の、全てを最も疲労が少ないベッド仰臥姿勢で、ベッド仰臥者が、テレビ観賞、読書、ゲーム含めたパソコン操作等ができ、且つ顔上部適正高さ位置に載置されたモニター映像を観ながら自分自身で行うリハビリ活動・ストレッチ運動等を可能とし、更に重度要介護者には、家族等との双方向対話テレビ電話機能を有し、且つ重度要介護者がベッド仰臥姿勢でモニター画面を見て自分自身で目的を遂行でき、且つ被介護者の一日の生活サイクルに合わせた構成で、精神ストレスケア・運動不足解消軽微運動・身体障害リハビリ運動・ストレッチ運動・自分自身実行指圧マッサージ・娯楽・芸術・音楽等のデジタル録画映像を編集した被介護者用ベッド仰臥姿勢一日生活サイクル対応リハビリ視聴実施録画編集デジタル映像の放映とデジタル放送受像放映及び放映停止を重度要介護者にマッチした一日生活サイクルに合わせた設定放映プログラムにて放映する、双方向対話機能付帯被介護者用ベッド仰臥姿勢一日生活サイクル対応自動テレビ放映・録画再生リハビリ視聴実施システム装置の提供が可能となる。且つトイレ・シャワー・入浴機能付帯ベッドの開発発明と本発明装置を組み合わせることで在宅・自立支援型万能快適介護ベッドの提供が可能となる。
【発明を実施するための最良の形態】
【００２４】
図１は、請求項１〜８の全発明を適用した、テレビ電話機能付帯被介護者用ベッド仰臥姿勢一日生活サイクル対応自動テレビ放映・録画再生リハビリ視聴実施システム装置を、トイレ・入浴・スライドシャワー・遠赤外線暖房ドーム裸生活対応・起床・臀部上下軽微運動機能を有した在宅・自立支援型万能快適介護ベッドに設置した全体正面図である。テレビ電話用カメラ・薄型テレビモニター・書物・鏡・平板情報端末機器、更に本体キーボード一体／液晶画面モニター部回動連結開閉型ノートパソコンを載置した、安価高利便性・仰臥姿勢最少疲労最適視聴操作機能のテレビ等多機能載置装置を、シンプル・在宅・自立対応型万能快適介護ベッドのベッド筐体頭部外周フレームに、ユニット架台の両側垂直支柱部を固定設置する構造にて設置した。テレビ等多機能載置装置部の構造は、旋回載置アーム旋回軸２６４、旋回使用位置決めフレーム２６５、旋回回避位置安全ストッパーピン２６６、多機能載置ユニット旋回支持アーム旋回滑車機能パイプ２７８設置の、請求項２８記載ベッド仰臥者用テレビ等多機能載置装置の１０度傾斜Ｌ字曲げ架台支柱１９２の上部設置アーム部先端側にテレビ本体保護ゴムシート１９６貼り付け薄型テレビ載置固定フレーム１９３Ａを設置し、垂直支柱側に載置する薄型テレビモニターの高さ方向幅に合せてテレビ本体保護ゴムシート１９６貼り付け薄型テレビ載置スライドフレーム１９３Ｂを設置し、載置ユニット高さ調整ボルト２１７で平板情報端末機器等の適正載置高さ位置に合せてベッド筺体左右頭部支柱１５・１６に固定設置し、薄型テレビモニター１９１、ノートパソコン２７４、平板情報端末機器２７３、書物２７２、鏡が載置できる構造とした。平板情報端末機器２７３、書物２７２、鏡の載置構造は、旋回軸旋回載置アーム設置パイプ部２６４−１のアーム挿入穴に多機能載置ユニット旋回支持アーム（Ｕ字曲げ構造）２６１を通し１０度傾斜Ｌ字曲げ架台支柱１９２に設置の旋回使用位置決めフレーム２６５にて適正使用角度の使用位置（２６１a）に設定し且つ前後適正位置に旋回載置アーム長さ位置決めカラー２７０にて設置固定し、多機能載置ユニット旋回載置アーム２６１の左右連結パイプ部にゴムカバー２７１貼り付け段付適正載置幅Ｌ曲げ単体透明樹脂構造とした上部側（仰臥者顎側）載置フレーム２６２を設置し、架台支柱１９２側部に載置物（Ａ４版見開き書物２７２）の高さ幅に合せてゴムカバー２７１貼り付け・スライドガイドプレート２６８設置段付適正載置幅コの字曲げ単体透明樹脂構造とした下部側（仰臥者頭部側）載置フレーム２６３を設置し載置フレーム固定ノブで固定設置する構造とした。載置見開き書物２７２の平坦化押付機能及び多機能載置ユニット旋回載置アーム２６１の未使用退避位置２６１ｂにての落下防止機能対応の載置物押えゴム紐２９１は、片側端設置リング部２９１−２片側端フック部２９１−３設置構造とし旋回載置アーム２６１の両側パイプにゴム紐部２９１−１を引伸ばした状態で設置する構造とした。載置物未使用時の多機能載置ユニット旋回支持アーム２６１の旋回退避構造は、旋回載置アーム２６１のサイドパイプ部の概ね中間部に旋回引上げ紐２７７の片側端を設置し、１０度傾斜Ｌ字曲げ架台支柱１��２の最上部近傍に設置した多機能載置ユニット旋回載置アーム旋回滑車機能パイプ２７８を介して旋回引上げ紐２７７の片側端に設置した旋回引上げ紐用リング２７９を引き下げ概ね８０度位置まで退避旋回する構造とした。旋回引上げ紐用リングの引下げ設置固定用フックは図示していないがシャワーヘッドスライド兼跳上げドーム旋回軸１０１に設置する構造とした。載置物未使用時の多機能載置ユニット旋回載置アーム２６１の使用位置２６１ａへの設置は引下げ設置固定用フックから旋回引上げ紐用リングを外し旋回引上げ紐２７７を戻すことで自重にて旋回設置される構造とした。引き下げ紐を設置する構造とすることもできる。テレビ等多機能載置ユニット１０度傾斜Ｌ字曲げ架台支柱１９２の仰臥者頭部高さやや上部後方位置に制御機器載置テーブル支持フレーム１９８及び制御機器載置テーブル１９９を設置しそのテーブル１９９上に、２４時間デジタルプログラムタイマー等にてテレビデジタル放送受像放映とブルーレイプレーヤーセットブルーレイデスク書込被介護者用ベッド仰臥姿勢一日生活サイクル対応リハビリ視聴実施録画編集デジタル映像放映及び放映停止を設定放映プログラムに沿って制御し且つテレビ電話機能優先対応にて自動制御するシステム機能構造としたテレビ電話優先被介護者用ベッド仰臥姿勢一日生活サイクル対応自動テレビ放映・録画再生リハビリ視聴実施システム装置の制御装置１９７を設置し、且つテレビ等多機能載置装置の薄型テレビ載置固定フレーム１９３Ａ及びテレビ電話用小型カメラ２１８を設置した薄型テレビ載置スライドフレーム１９３Ｂにテレビ電話機能付帯被介護者用ベッド仰臥姿勢一日生活サイクル対応自動テレビ放映・録画再生リハビリ視聴実施システム装置のテレビ電話機能付帯薄型テレビモニター１９１を設置する構造とした。
【００２５】
図２は、請求項１〜８の全発明を適用した、テレビ電話機能付帯被介護者用ベッド仰臥姿勢一日生活サイクル対応自動テレビ放映・録画再生リハビリ視聴実施システム装置を、トイレ・入浴・スライドシャワー・遠赤外線暖房ドーム裸生活対応・起床・臀部上下軽微運動機能を有した在宅・自立支援型万能快適介護ベッドに設置した全体側面図である。詳細説明は図１に記載している。
【００２６】
図３は、請求項５〜６の発明を適用し、請求項３記載のベッド仰臥者用薄型テレビ等載置装置から薄型テレビ以外の載置機能を除外したベッド仰臥者用薄型テレビ載置装置に薄型テレビを載置する構造とした、被介護者用ベッド仰臥姿勢一日生活サイクル対応リハビリ視聴実施システム装置を、トイレ・入浴・スライドシャワー・遠赤外線暖房ドーム裸生活対応・起床・臀部上下軽微運動機能を有した在宅・自立支援型万能快適介護ベッドに設置した全体側面図である。薄型テレビモニター１９１の載置ユニットの構造は、ベッド筺体左右頭部支柱１５・１６構造をテレビモニター載置ユニット支柱兼用構造のベッド筺体左右頭部支柱兼テレビモニター載置ユニット支柱３５７・３５８としそのベッド筺体左右頭部支柱兼テレビモニター載置ユニット支柱３５７・３５８の上端部近傍に設けた対水平概ね１０度傾斜設置穴部に薄型テレビ載置支持アーム２００を挿入設置し、その薄型テレビ載置支持アーム２００に薄型テレビ載置固定フレーム１９３Ａ及び薄型テレビ載置スライドフレーム１９３Ｂを設置しその載置フレーム上に薄型モニター１９１を設置する構造とした。又、ベッド筺体左右頭部支柱兼テレビモニター載置ユニット支柱３５７・３５８にベッド頭部側載置テーブル設置フレーム３５１を設置しそのテーブル設置フレーム３５１にベッド頭部側載置テーブル３５２を設置し、そのベッド頭部側載置テーブル３５２にブレーレイプレーヤー３５４を設置し、そのブレーレイプレーヤー３５４に被介護者用ベッド仰臥姿勢一日生活サイクル対応リハビリ視聴実施録画編集デジタル映像ソフトを書込んだブレーレイディスクを装着し薄型テレビモニター１９１から放映する構造とした。
【００２７】
図４は、板情報端末機器２７３、書物２７２、鏡、及びノートパソコン２７４までベッド仰臥者の適正視聴・操作角度・位置に載置できるベッド仰臥者用多機能載置装置の上面図である。正面図、側面図は、多機能載置ユニット架台支柱２６０だけがテレビ等多機能載置ユニット架台支柱１９２に変るが図５及び図６記載テレビ電話優先被介護者用ベッド仰臥姿勢一日生活サイクル対応自動テレビ放映・録画再生リハビリ視聴実施システム装置のベッド仰臥者用テレビ等多機能載置装置と同一構造である。詳細説明は図１に記載している。
【００２８】
在宅・自立支援型自動万能快適介護ベッド本体については「特願2011-061829の図５〜図７」の説明を参照。
【図面の簡単な説明】
【００２９】
【図１】図１は、テレビ電話用カメラ・薄型テレビモニター・書物・鏡・平板情報端末機器の全て、更に本体キーボード一体／液晶画面モニター部回動連結開閉型ノートパソコンを載置した、テレビ電話機能付帯被介護者用ベッド仰臥姿勢一日生活サイクル対応自動テレビ放映・録画再生リハビリ視聴実施システム装置を、在宅・自立支援型自動万能快適介護ベッドのベッド筐体頭部外周フレームに、ユニット架台の両側垂直支柱部を固定設置する構造にて設置した、介護ベッドを含む全体正面図である。
【図２】図２は、テレビ電話用カメラ・薄型テレビモニター・書物・鏡・平板情報端末機器の全て、更に本体キーボード一体／液晶画面モニター部回動連結開閉型ノートパソコンを載置した、テレビ電話機能付帯被介護者用ベッド仰臥姿勢一日生活サイクル対応自動テレビ放映・録画再生リハビリ視聴実施システム装置を、在宅・自立支援型自動万能快適介護ベッドのベッド筐体頭部外周フレームに、ユニット架台の両側垂直支柱部を固定設置する構造にて設置した、介護ベッドを含む全体側面図である。
【図３】図３は、ベッド仰臥者用薄型テレビ載置装置に薄型テレビを載置する構造とした、被介護者用ベッド仰臥姿勢一日生活サイクル対応リハビリ視聴実施システム装置を、在宅・自立支援型万能快適介護ベッドのテレビモニター載置ユニット支柱兼用構造ベッド筺体頭部支柱に設置する構造にて設置した、介護ベッドを含む全体側面図である。
【図４】図４は、板情報端末機器２７３、書物２７２、鏡、及びノートパソコン２７４までベッド仰臥者の適正視聴・操作角度・位置に載置できるベッド仰臥者用多機能載置ユニットの上面図である。
【符号の説明】
【００３０】
11   ベッド筺体外周枠左フレーム
12   ベッド筺体外周枠右フレーム
13   ベッド筺体外周枠頭部フレーム
14   ベッド筺体外周枠足部フレーム
15   ベッド筺体左頭部支柱
16   ベッド筺体右頭部支柱
17   ベッド筺体左足部支柱
18   ベッド筺体右足部支柱
19   ベッド筺体足部補強フレーム
20   ベッド筺体左側補強フレーム
21   ベッド筺体右側補強フレーム
22   ベッド筺体頭部補強フレーム
30  全面梨地状凹凸シリコンゴムシート
31   シリコンゴムシート（人体仰臥接触範囲凹凸面）
33   お尻洗浄機能付帯樹脂製小型便器（固定フランジ付）
41  上下駆動ベース左
42  上下駆動ベース右
43  上下駆動台形ネジ
44  上下駆動台形ネジナット
45  上下駆動ガイドシャフト
46  上下駆動リニアブッシュ
47  上下駆動台形ネジ用BB
48  上下駆動ギアモータ
49  上下駆動ギアモータフレームA
50  上下駆動ギアモータフレームB
51  駆動タイミングプーリ
52  従動タイミンブプーリ
53  タイミングベルト
54  上下位置検知センサ
55  上下駆動位置検知プレート
91  臀部支持構造体（兼上下駆動フレーム）
92  背凭れ兼背部支持構造体
93  頭部支持構造体
94  膝上腿部支持構造体
94Z 傾斜固定設置下半身支持構造体
95  足部支持構造体
96  横スライド支持フレームA
97  横スライド支持フレームB
98  連結蝶番
99  横スライドカムフォロア
100  低反発弾性ウレタンフォームマットレス（マットレス）
101  シャワーヘッドスライド兼跳上げドーム旋回軸
102  跳上げドームフレーム
114  ドーム多機能シート
115  ドーム肩・頭顔部防水断熱シート
121  シャワーヘッド
141  サーモスタットシャワー混合栓
161  小型空調機
171  遠赤外線ストレートヒーター
181  万能介護ベッド自動制御ボックス
182  万能介護ベッド手元操作ボックス
183  万能介護ベッド自動操作信号伸縮ケーブル
190  薄型テレビ
191  テレビ電話機能付帯薄型テレビモニター
192  テレビ等多機能載置ユニット１０度傾斜Ｌ字曲げ架台支柱
193A 薄型テレビ載置固定フレーム
193B薄型テレビ載置スライドフレーム
194  電源ケーブル
195  通信・制御ケーブル
196  テレビ本体保護ゴムシート
197  テレビ電話機能付帯被介護者用ベッド仰臥姿勢一日生活サイクル対応自動テレビ放映・録画再生リハビリ視聴実施システム装置用制御ユニット
198  テレビ等多機能載置ユニット制御機器載置テーブル支持フレーム
199  テレビ等多機能載置ユニット制御機器載置テーブル
200  薄型テレビ載置支持アーム
201  室内床板
217  載置ユニット高さ調整ボルト
218  テレビ電話用小型カメラ
219  小型カメラ設置フレーム
260  多機能載置ユユット架台支柱
261  多機能載置ユユット旋回載置アーム（パイプＵ字曲げ構造）
261a  載置ユユット旋回支持アーム使用位置
261b  載置ユユット旋回支持アーム未使用退避位置
262  上部側（仰臥者顎側）載置フレーム
263  下部側（仰臥者頭部側）載置フレーム
W1  載置フレーム中央部載置幅
W2  載置フレーム両サイド部載置幅
264  旋回支持アーム旋回軸
264-1 旋回軸旋回支持アーム設置パイプ部
264-2 旋回軸両側旋回軸部
264-3 旋回軸旋回ストッパアーム部
265  旋回支持アーム旋回使用位置決めフレーム
266  旋回支持アーム旋回回避位置安全ストッパーピン
267  旋回支持アーム旋回クッションゴムカバー
268  載置フレームスライドガイドプレート
269  載置フレーム固定ノブ
270  旋回支持アーム長さ位置決めカラー
271  ゴムカバー
272  Ａ４版見開き書物
273  Ａ４サイズ情報端末機器（横長載置）
273-1Ａ４サイズ情報端末機器タッチパネル操作範囲
274  ノートパソコン
275  ノートパソコン載置フレーム
275-1 ノートパソコン載置フレーム本体部
275-2載置フレーム旋回円筒摺動部
275-3載置フレーム保護ゴムチューブ部
276  ノートパソコン載置フレーム旋回固定ノブ
277  多機能載置ユユット旋回支持アーム旋回引上げ紐
278  多機能載置ユユット旋回支持アーム旋回滑車機能パイプ
279  旋回引上げ紐用リング
281  土台枕
282  土台枕高さ調整ボルト
283  土台枕固定ボルト
291  載置物押えゴム紐
291-1載置物押えゴム紐部
291-2載置物押え設置リング部
291-3載置物押えフック部
300a  人体仰向け水平横臥姿勢体
300b  人体シャワー及びトイレ姿勢体
300c  人体入浴姿勢体
300d  人体起上り膝曲げ姿勢体（食事・頭髪洗浄対応姿勢）
300e  人体反り姿勢体
341  情報端末機器等操作肘受けマット
351  ベッド頭部側載置テーブル設置フレーム
352  ベッド頭部側載置テーブル
353  テーブルタップ
354  ブレーレイプレーヤー
355  ベッド照明ライト
356  ベッド照明フレーム
357  ベッド筺体左頭部支柱兼テレビモニター載置ユニット支柱
358  ベッド筺体右頭部支柱兼テレビモニター載置ユニット支柱
【手続補正２】
【補正対象書類名】図面
【補正対象項目名】全図
【補正方法】変更
【補正の内容】
【図２】
2016172031.tif 000007
【図３】
2016172031.tif 000008
【図１】
2016172031.tif 000009
【図４】
2016172031.tif 000010